(57)【要約】      （修正有）【課題】紙材料を使用しても十分な断熱効果を持つ上、表面に絵柄などの図面を表示することに適するコップホルダーを提供する。【解決手段】複数の紙層により、上下開口を有するように管状に形成されたホルダー本体２を有し、該ホルダー本体２の外表面に平滑部２３と凹凸パターン部２４とが形成されていることを特徴とし、十分な断熱効果を持ち、外表面にロゴなどの図面を表示することに適している。【選択図】図３
0003177286.tif 000002
【実用新案登録請求の範囲】
【請求項１】
複数の紙層により、上下開口を有するように管状に形成されたホルダー本体を有し、該ホルダー本体の外表面に平滑部と、凹凸パターン部と、が形成されていることを特徴とするコップホルダー。
【請求項２】
前記紙層として、吸水性が高く、且つ柔らかい紙材料を使用することを特徴とする請求項１に記載のコップホルダー。
【請求項３】
前記ホルダー本体の上開口端縁の全長が、前記ホルダー本体の下開口端縁の全長以上であることを特徴とする請求項１または請求項２に記載のコップホルダー。
【請求項４】
前記ホルダー本体の上開口端縁には、複数の切り込みが互いに間をあけて形成されていることを特徴とする請求項１〜請求項３のいずれか一項に記載のコップホルダー。
【請求項５】
上板と、該上板の周縁から突出するように形成された周壁と、からなるキャップ手段を更に備えており、
前記ホルダー本体は、前記キャップ手段の前記周壁が突出する先端から更に延伸するようになっており、
前記キャップ手段の前記上板でコップの開口を覆うと共に、前記ホルダー本体で該コップの外周面を囲むことができるように構成された請求項１〜請求項４のいずれか一項に記載のコップホルダー。
【請求項６】
前記キャップ手段を前記ホルダー本体から抜き取りやすいように、前記ホルダー本体の前記キャップ手段に隣接する端部に、環状のミシン目が形成されていることを特徴とする請求項５に記載のコップホルダー。
【請求項７】
前記平滑部に多数の孔が開けられていることを特徴とする請求項１〜請求項６のいずれか一項に記載のコップホルダー。
【請求項８】
前記多数の孔は１つの図柄を表示するように並んでいることを特徴とする請求項７に記載のコップホルダー。
【請求項９】
前記多数の孔は斜め格子状に並んでいることを特徴とする請求項７に記載のコップホルダー。
【請求項１０】
管状に形成された前記ホルダー本体の前記キャップ手段から離れた下開口端縁の全長は、前記キャップ手段の前記周壁の先端縁の全長より大きいことを特徴とする請求項５〜請求項９のいずれか一項に記載のコップホルダー。
【請求項１１】
前記ホルダー本体の外表面には複数の前記平滑部と複数の前記凹凸パターン部とが形成されており、該複数の前記平滑部と複数の前記凹凸パターン部とは互いに入れ替わるように配置されていることを特徴とする請求項１〜請求項１０のいずれか一項に記載のコップホルダー。
【考案の詳細な説明】
【技術分野】
【０００１】
本考案はコップホルダーに関し、特に、紙材料を用いるコップホルダーに関する。
【背景技術】
【０００２】
紙材料を用いる従来のコップホルダーは、段ボール材から作られたものがほとんどである。
【０００３】
例えば特許文献１では、図１に示されるコップホルダー１１が開示されている。段ボール材から作られたコップホルダー１１は、断熱層１１０でコップ１００の外壁を包んでから、一端部１１１が他端部（図示されていない）の表面１１２を覆って接着されている。
【０００４】
また、特許文献１では図２に示されるコップホルダーも開示されている。このコップホルダー１３は弾性材料により、ジグザグ状に連続した断面形状を有する円筒状に形成されているので、断熱効果が向上する。
【先行技術文献】
【特許文献】
【０００５】
【特許文献１】台湾登録実用新案第Ｍ３２０３５２号明細書
【考案の概要】
【考案が解決しようとする課題】
【０００６】
しかし、図１に示されているコップホルダー１１は段ボール材を使用するので、コストが高い上、コップに対応する円筒形状にするために接着剤が使用されており、例え回収しても接着剤の成分を除去した上で再利用することは難しい。また、図２に示されているコップホルダー１３はジグザグ状に連続した断面形状を有するので、表面に絵柄などの図面を表示することが難しく、美観性や宣伝の効果が乏しいという欠点がある。
【０００７】
従って、本考案は、どんな紙材料を使用しても十分な断熱効果を持つ上、表面に絵柄などの図面を表示することに適するコップホルダーの提供を目的とする。
【課題を解決するための手段】
【０００８】
上記目的を達成すべく、本考案は、複数の紙層により、上下開口を有するように管状に形成されたホルダー本体を有し、該ホルダー本体の外表面に平滑部と凹凸パターン部とが形成されていることを特徴とするコップホルダーを提供する。
【考案の効果】
【０００９】
上記構成により、本考案のコップホルダーは、複数の紙層を備えることにより、どんな紙材料を使用しても十分な断熱効果を持つことができる。例えば、トイレットペーパーやペーパーナプキン、ペーパータオルなどに使用される吸水性に富み、且つ回収して再利用することに適している紙材料を使用することも可能である。また、本考案の外表面に形成されている平滑部及び凹凸パターン部は両方とも絵柄などの図面を表示することに適しているので、ロゴなどの図面を表示することに適している。
【図面の簡単な説明】
【００１０】
【図１】従来のコップホルダーの第１構成例が示されている斜視図である。
【図２】従来のコップホルダーの第２構成例が示されている斜視図である。
【図３】本考案の第１の実施形態の斜視図である。
【図４】上記第１の実施形態の製造方法が示されている説明図である。
【図５】本考案のコップホルダーの第２の好ましい実施形態の斜視図である。
【図６】本考案のコップホルダーの第２の好ましい実施形態のもう一つの使用例が示されている斜視図である。
【図７】本考案のコップホルダーの第３の好ましい実施形態の正面図である。
【図８】本考案のコップホルダーの第４の好ましい実施形態の正面図である。
【図９】本考案のコップホルダーの第４の実施形態の使用法が示されている説明図である。
【図１０】本考案のコップホルダーの第５の好ましい実施形態の側面図である。
【図１１】本考案のコップホルダーの第６の実施形態のホルダー本体の展開図である。
【図１２】本考案のコップホルダーの第６の好ましい実施形態の側面図である。
【考案を実施するための形態】
【００１１】
以下では各図面を参照しながら、本考案のコップホルダーについて詳しく説明する。各図面において、構造や機能が類似する箇所には同じ番号がつけられている。
【００１２】
図３は本考案のコップホルダーの第１の実施形態の斜視図であり、図４はこの第１の実施形態の製造法の説明図である。
【００１３】
図３に示されているように、本考案のコップホルダーの第１の実施形態は、管状に形成されたホルダー本体２を有し、該ホルダー本体２の外表面に凹凸を有する凹凸パターン部２４と、凹凸パターン部２４以外の部分で表面凹凸を有しない平滑部２３と、がそれぞれ複数形成されている。
【００１４】
図４に示されているように、この第１の実施形態は、例えば複数の紙層２０１を有するスタックを用意し、用意した前記スタックの一端部と該一端部の反対側にある他端部とを重ねて、スタックを上下開口する管状に巻いてから、前記一端部と前記他端部とが重なっている部分をエンボススタンプ２００で加圧して結合させてホルダー本体２を作成することができる。
【００１５】
ここで、各紙層２０１は、例えばトイレットペーパーやペーパーナプキン、ペーパータオルなどに使用される柔らかくて吸水性に富み、且つ回収して再利用することに適している紙材料からなるものが好ましい。
【００１６】
複数の紙層２０１を有するスタックは、例えば一枚の紙を複数回折り畳んで複数の紙層２０１を有するスタックに製造することができる。
【００１７】
本考案のスタックの製造はこれに限らず、例えば重なり合う複数の紙層を所望の形状に裁断してスタックとして製造することも可能である。
【００１８】
また、スタックを上下開口する管状に巻く際は、使用するコップ１００の外径のテーパー角に合わせることが好ましい。例えばこの第１の実施形態では、ホルダー本体２の上開口端縁２０の全長が、下開口端縁２１の全長より長い逆円錐台形状になっている。
【００１９】
また、この実施形態において、凹凸パターン部２４はエンボススタンプ２００により形成されている。
【００２０】
以上のように、本考案のコップホルダーは複数の紙層２０１で断熱効果を発揮することができる。更に、凹凸パターン部２４にある表面凹凸は、手で持ちやすい効果が得られると共に、所定のパターン、例えば商品の図柄や会社のロゴなどを形成して美観や宣伝効果を得ることもできる。
【００２１】
図５及び図６では上記本考案のコップホルダーの第２の実施形態が示されている。
【００２２】
図示されているように、本考案のコップホルダーの第２の実施形態は、表面凹凸を有しない平滑部２３に、多数の菱形の孔２３１が斜め格子状に並ぶように開けられていると共に、互いに交差しあう複数の接続条２３２が各孔２３１の間に画成されている。
【００２３】
このように、多数の菱形の孔２３１が斜め格子状に並ぶように形成された平滑部２３は伸縮性を持つようになり、図５、図６に示されているようにサイズの異なるコップに対応することができる。
【００２４】
図７では上記本考案のコップホルダーの第３の実施形態が示されている。
【００２５】
図示されているように、この第３の実施形態は第２の実施形態と同じように、表面凹凸を有しない平滑部２３に多数の孔２３１が開けられているが、ここでの多数の孔２３１は併せて１つの図柄（ここではコーヒーコップの図柄）を表示するように並んでいる。
【００２６】
図８、図９では本考案のコップホルダーの第４の実施形態が示されている。
【００２７】
図８に示されているように、この第４の実施形態は、上開口端縁２０の全長が、下開口端縁２１の全長と一致する中空円柱台形状に形成されており、ホルダー本体２の上開口端縁２０には、互いに間をあけている複数の切り込み２２１が形成されている。
【００２８】
図９に示されているように、この第４の実施形態は、通常逆円錐台形状になっているコップに対応しない中空円柱台形状になっているが、上開口端縁２０に、複数の切り込み２２１が互いに間をあけて形成されているので、この第４の実施形態の上端部はコップの形状に応じて変形することができるようになる。即ち、第４の実施形態は逆円錐台形状に巻かれる必要がないため、より簡単に製造することができる上、上開口端縁２０に、複数の切り込み２２１が互いに間をあけて形成されていることで、外径のテーパー角が異なる多種類のコップに対応して適用することができる。
【００２９】
図１０では上記本考案のコップホルダーの第５の実施形態が示されている。図示されているように、この第５の実施形態ではホルダー本体２のほか、更にキャップ手段３を備えている。
【００３０】
キャップ手段３は、上板３１と、該上板３１の周縁から突出するように形成された周壁３２と、を有するように形成されている。
【００３１】
また、ホルダー本体２は、キャップ手段３の周壁３２が突出する先端から更に延伸するようになっていると共に、キャップ手段３に隣接する上端部に、環状のミシン目２２２が形成されている。
【００３２】
即ち、この第５の実施形態は、キャップ手段３の上板３１でコップ１０１の開口を覆うことができると共に、ホルダー本体２で該コップ１０１の外周面を囲むことができる。
【００３３】
更に、ホルダー本体２にミシン目２２２が形成されているので、コップの中身を飲用しようとする時、ミシン目２２２に沿ってキャップ手段３をホルダー本体２から抜き取ることができる。
【００３４】
また、この第５の実施形態において、管状に形成されたホルダー本体２のキャップ手段３から離れた下開口端縁２１の全長は、キャップ手段３の周壁３２の先端縁の全長より大きいように形成されている。
【００３５】
この形状は、複数の紙層２０１を有するスタックを上下開口する管状に巻く際に、ホルダー本体２の下開口端縁２１の全長が、上開口端縁２０の全長より長い円錐台形状に巻くことによって形成することができる。
【００３６】
図１１、図１２では上記本考案のコップホルダーの第６の実施形態が示されている。
【００３７】
図１１はこの第６の実施形態におけるホルダー本体４を径方向に展開した状態の平面図であり、図１２はこの第６の実施形態の側面図である。
【００３８】
図１１に示されているように、この第６の実施形態におけるホルダー本体４は中空の環状シートに形成されており、その表面に平滑部４３と、凹凸パターン部４４と、が形成されている。
【００３９】
表面凹凸を有しない平滑部４３に多数の孔４３１が開けられているが、ここでの多数の孔４３１は併せて１つの図柄（ここではコーヒーコップの図柄）を表示できるように並んでいる。
【００４０】
凹凸パターン部４４に複数の突起が多数の菱形を表示するように並んでいる。
【００４１】
図１２に示されているように、この第６の実施形態は第５の実施形態と同じく、ホルダー本体４のほかに、キャップ手段５を更に備えている。
【００４２】
キャップ手段５は、上板５１と、該上板５１の周縁から突出するように形成された周壁５２と、を有するように形成されている。
【００４３】
キャップ手段５の周壁５２が突出する先端と、環状シート状に形成されたホルダー本体４の内周縁と、が繋がっていると共に、ホルダー本体４のキャップ手段５に隣接する上端部に、環状のミシン目４２１が形成されている。
【００４４】
従って、この第６の実施形態は、第５の実施形態と同じ効果を発揮することができる。
【産業上の利用可能性】
【００４５】
上記構成により、本考案のコップホルダーは、複数の紙層を備えることにより、どんな紙材料を使用しても十分な断熱効果を持つことができる。例えば、トイレットペーパーやペーパーナプキン、ペーパータオルなどに使用される吸水性に富み、且つ回収して再利用することに適している紙材料を使用することも可能である。また、本考案の外表面に形成されている平滑部及び凹凸パターン部は両方とも絵柄などの図面を表示することに適しているので、ロゴなどの図面を表示することに適している。
【符号の説明】
【００４６】
１００    コップ
２        ホルダー本体
２０      上開口端縁
２００    エンボススタンプ
２０１    紙層
２１      下開口端縁
２２１    切り込み
２２２    ミシン目
２３      平滑部
２３１    孔
２３２    接続条
２４      凹凸パターン部
３        キャップ手段
３１      上板
３２      周壁
４        ホルダー本体
４２１    ミシン目
４３      平滑部
４３１    孔
４４      凹凸パターン部
５        キャップ手段
５１      上板
５２      周壁
【図１】
0003177286.tif 000003
【図２】
0003177286.tif 000004
【図３】
0003177286.tif 000005
【図４】
0003177286.tif 000006
【図５】
0003177286.tif 000007
【図６】
0003177286.tif 000008
【図７】
0003177286.tif 000009
【図８】
0003177286.tif 000010
【図９】
0003177286.tif 000011
【図１０】
0003177286.tif 000012
【図１１】
0003177286.tif 000013
【図１２】
0003177286.tif 000014